(57)【要約】【課題】軒樋どうしを内継手で接続するとともに、見栄えよく、また、水垂れが生じることのない軒樋の接続構造を提供する。【解決手段】軒樋３の前耳３１に係合する前耳係合部１１と軒樋３の後耳３２に係合する後耳係合部１２と、それらと一体的に結合する主体部１３とからなり、軒樋３の内側に当接するとともに、上記軒樋３の前耳３１と後耳３２とをそれぞれ上記前耳係合部１１と後耳係合部１２とによって弾性係合して軒樋３どうしを接続する内継手１と、上記軒樋３の外側に露出する継ぎ目Ｓ部分を覆うカバー部材とからなる軒樋の接続構造。好ましくは、上記カバー部材が軒樋と同色ないしは同系統色の粘着テープ２とされる。【選択図】図１
2005016091.tif 000002
【特許請求の範囲】
【請求項１】
軒樋の前耳に係合する前耳係合部と軒樋の後耳に係合する後耳係合部と、それらと一体的に結合する主体部とからなり、軒樋の内側に当接するとともに、上記軒樋の前耳と後耳とをそれぞれ上記前耳係合部と後耳係合部とによって弾性係合して軒樋どうしを接続する内継手と、上記軒樋の外側に露出する継ぎ目部分を覆うカバー部材とからなる軒樋の接続構造。
【請求項２】
上記カバー部材が軒樋と同色ないしは同系統色の粘着テープである請求項１に記載の軒樋の接続構造。
【請求項３】
上記粘着テープがフッ素系フィルムまたはアクリル系フィルムに粘着材が塗布されたものである請求項２に記載の軒樋の接続構造。
【請求項４】
上記内継手が弾性を有する合成樹脂から構成された請求項１に記載の軒樋の接続構造。
【請求項５】
上記軒樋と内継手との当接面が接着剤によって接着された請求項１に記載の軒樋の接続構造。
【発明の詳細な説明】
【０００１】
【発明の属する技術分野】
本発明は、軒樋を接続する構造に関する。さらに詳しくは、軒樋どうしを突き合わせ、その継ぎ目部分の内側に嵌装される内継手を用いる軒樋の接続構造に関する。
【０００２】
【従来の技術】
従来、上記軒樋の接続に関しては、種々の構造が提案されている（特許文献１、２参照。）。
【０００３】
【特許文献１】
特開２００２−３８６６８号公報（第１−３頁、第１図、第３図）
【特許文献２】
特開２００３−６４８３３号公報（第１−４頁、第１図、第４図、第６図）
【０００４】
【発明が解決しようとする課題】
上記公知の接続構造を用いる場合、まず、本願の図２に示すように、軒樋３どうしを突き合わせ、ついで図３に示すように、その内側に内継手１を嵌装して軒樋３と軒樋３とを接続する。しかしながら、図３によく示されているように、軒樋３の外側には、突き合わせた端部どうしが継ぎ目Ｓとなって露出し、見栄えの悪いものとなる。とくに、施工の関係で、軒樋３と軒樋３との間に隙間が生じた場合は、隙間が目立つだけでなく、水垂れの原因ともなる。そこで、本発明は、軒樋どうしを内継手で接続するとともに、見栄えよく、また、水垂れが生じることのない軒樋の接続構造を提供することをその課題とする。
【０００５】
【課題を解決するための手段】
本発明は、上記課題を解決するために、つぎのような技術的手段を講じている。すなわち、本発明によれば、軒樋の前耳に係合する前耳係合部と軒樋の後耳に係合する後耳係合部と、それらと一体的に結合する主体部とからなり、軒樋の内側に当接するとともに、上記軒樋の前耳と後耳とをそれぞれ上記前耳係合部と後耳係合部とによって弾性係合して軒樋どうしを接続する内継手と、上記軒樋の外側に露出する継ぎ目部分を覆うカバー部材とからなる軒樋の接続構造が提供される。このようにすることによって、簡単な構造で軒樋どうしを接続することができるとともに、水垂れが生じることがなく、見栄えよく軒樋を接続することができる。
【０００６】
上記カバー部材が軒樋と同色ないしは同系統色の粘着テープとすることが好ましい。このようにすることにより、継ぎ目が隠されて目立たなくなり、外観がよくなるとともに、内継手と軒樋の当接面の隙間から漏れる水を粘着テープによって止水することができる。
【０００７】
上記粘着テープがフッ素系フィルムまたはアクリル系フィルムに粘着材が塗布されたものであることが好ましい。このようにすることによって、耐水性が大で、強度的にも優れたものとなるため、長期間に亘って継ぎ目を隠すことができる。
【０００８】
上記内継手が弾性を有する合成樹脂から構成されることが好ましい。例えば、硬質塩化ビニル樹脂、アクリル樹脂、ポリカーボネート樹脂等の成形品を内継手とすることにより、この内継手の前耳係合部と軒樋の前耳とが、またこの内継手の後耳係合部と軒樋の後耳とが弾性係合するとともに、内継手自身が弾性復帰力を有するため、軒樋の内側に弾接し、しっかりと軒樋を接続することができる。
【０００９】
さらに、上記軒樋と内継手との当接面が接着剤によって接着されることが好ましい。このようにすることにより、上記した構造で軒樋どうしが接続されるうえに、その継ぎ目にも接着剤が充填され、より確実に軒樋を接続することができるとともに、継ぎ目からの水垂れも防ぐことができる。
【００１０】
【発明の実施の形態】
以下、本発明の好ましい実施の形態について、図面を参照して、さらに詳細に説明する。図１は、本発明の軒樋の接続構造を示す一部透視斜視図である。図１において、内継手１は弾性のある合成樹脂から構成され、前耳係合部１１、後耳係合部１２および主体部１３とからなり、主体部１３は軒樋３の内側に当接するとともに、前耳係合部１１は軒樋３の前耳３１と弾性係合し、後耳係合部１２は軒樋３の後耳３２と弾性係合することにより、内継手１が軒樋３の端部どうしを接続している。このとき、既述の図３に示すように、軒樋３の外側に露出した、端部どうしの継ぎ目Ｓの上に軒樋３と同色の粘着テープ２を貼りカバーする。
【００１１】
図４は、上記した粘着テープ２で継ぎ目Ｓを目立たなくするようにカバーした本実施形態の軒樋の接続構造を示す正面図である。通常、上記軒樋３と同色の粘着テープ２の幅を約１ｃｍとすることにより、継ぎ目Ｓが隠されて目立たなくなり、さらに内継手１と軒樋３の当接面の隙間から漏れる水を粘着テープ２によって止水することができる。なお、本実施形態において、さらに上記内継手１と軒樋３の内側の当接面とを接着剤により接着すれば、軒樋３の端部どうしが接着剤により接続されるとともに、その継ぎ目Ｓにも接着剤が充填され、水漏れを防ぐことができる。このようにすることによって、軒樋３の外側に露出した、端部どうしの継ぎ目Ｓを隠して見栄えをよくすることができるとともに、継ぎ目Ｓからの水垂れも防ぐことができる。
【００１２】
【発明の効果】
以上述べたように、請求項１に記載の発明は上記のとおりであり、とくに、上記軒樋３の外側に露出する継ぎ目Ｓ部分を覆うカバー部材を含むことを特徴とする。このようにすることによって、簡単な構造で軒樋３どうしを接続することができるとともに、水垂れが生じることがなく、見栄えのよい軒樋の接続構造を提供することができる。
【００１３】
請求項２に記載の発明は、上記カバー部材が軒樋３と同色ないしは同系統色の粘着テープ２とされる。このようにすることにより、請求項１に記載の発明の効果に加えて、継ぎ目Ｓが隠されて目立たなくなり、外観がよくなるとともに、内継手１と軒樋３の当接面の隙間から漏れる水を粘着テープ２によって止水することができる。
【００１４】
請求項３に記載の発明は、上記粘着テープ２がフッ素系フィルムまたはアクリル系フィルムに粘着材が塗布されたものとされる。このようにすることによって、請求項２に記載の発明の効果に加えて、粘着テープ２の耐水性が大となり、強度的にも優れたものとなるため、長期間に亘って目立つことなく継ぎ目Ｓを隠すことができる。
【００１５】
請求項４に記載の発明は、上記内継手１が弾性を有する合成樹脂から構成される。このようにすることにより、請求項１に記載の発明の効果に加えて、内継手１の前耳係合部１１と軒樋３の前耳３１とが、また内継手１の後耳係合部１２と軒樋３の後耳３２とが弾性係合するとともに、内継手１自身が弾性復帰力を有するため、軒樋３の内側に弾接し、しっかりと軒樋３を接続することができる。
【００１６】
請求項５に記載の発明は、さらに、上記軒樋３と内継手１との当接面が接着剤によって接着される。このようにすることにより、請求項１に記載の発明の効果に加えて、上記した構造で軒樋３どうしが接続されるうえに、その継ぎ目Ｓにも接着剤が充填され、より確実に、軒樋３を接続することができるとともに、継ぎ目Ｓからの水垂れも防ぐことができる。
【図面の簡単な説明】
【図１】本発明の軒樋の接続構造を示す一部透視斜視図である。
【図２】軒樋の端部を付き合わせた状態を示す一部透視斜視図である。
【図３】公知の軒樋の接続構造を示す一部透視斜視図である。
【図４】本発明の軒樋の接続構造を示す部分正面図である。
【符号の説明】
１          内継手
１１        前耳係合部
１２        後耳係合部
１３        主体部
２          粘着テープ
３          軒樋
３１        同上前耳
３２        同上後耳
Ｓ          軒樋どうしの継ぎ目
【図１】
2005016091.tif 000003
【図２】
2005016091.tif 000004
【図３】
2005016091.tif 000005
【図４】
2005016091.tif 000006